(57)【特許請求の範囲】
【請求項１】
通信回線に接続されると共に外部からの入力情報を記録する手段を備えた情報受信装置において、該情報記録手段は入力情報を一時的に記録する一時記録手段と、入力情報を長期間保存するために記録する本記録手段とから成り、該一時記録手段及び本記録手段の動作を制御する制御手段を設け、該制御手段によって前記一時記録手段を制御して外部からの着信に応答した時点より通話録音を開始して前記一時記録手段に通話内容を一時的に記録するように構成し、さらに、必要と認めた通話内容を前記本記録手段に記録するように選択できる操作手段を設け、前記操作手段により前記本記録手段への記録が選択されると前記一時記録手段への記録を停止して、前記本記録手段に通話内容を記録するように構成し、さらに、通話終了後に保存の必要があると認めた通話内容を保存するように指示する操作手段を設け、前記操作手段により保存が指示されると該操作手段は前記一時記録手段に記録した記録内容を前記本記録手段に移送記録して本記録として記録保存するように操作可能に構成されたことを特徴とする情報記録装置を備えた情報受信装置。
【請求項２】
一時記録手段の記録媒体がアナログ式で、本記録の記録媒体もアナログ式であることを特徴とする請求項１記載の情報記録装置を備えた情報受信装置。
【請求項３】
一時記録手段の記録媒体がアナログ式で、本記録の記録媒体がディジタル式であることを特徴とする請求項１記載の情報記録装置を備えた情報受信装置。
【請求項４】
一時記録手段の記録媒体がディジタル式で、本記録の記録媒体がアナログ式であることを特徴とする請求項１記載の情報記録装置を備えた情報受信装置。
【請求項５】
一時記録手段の記録媒体がディジタル式で、本記録の記録媒体もディジタル式であることを特徴とする請求項１記載の情報記録装置を備えた情報受信装置。
【請求項６】
通信回線に接続されると共に外部からの入力情報を記録する手段を備えた情報受信装置において、該情報記録手段は入力情報を一時的に記録する一時記録手段と、入力情報を長期間保存するために記録する本記録手段とから成り、該一時記録手段及び本記録手段の動作を制御する制御手段を設け、該制御手段によって前記一時記録手段を制御して外部からの着信に応答した時点より通話録音を開始して前記一時記録手段に通話内容を一時的に記録するように構成し、さらに、必要と認めた通話内容を前記本記録手段に記録するように選択できる操作手段を設け、前記操作手段により前記本記録手段への記録が選択されると前記一時記録手段への記録を停止して、前記本記録手段に通話内容を記録するように構成し、さらに、通話終了後に前記操作手段があったことによって自動的に前記一時記録手段に記録した記録内容を前記本記録手段に移送記録して本記録として記録保存するように操作可能に構成されたことを特徴とする情報記録装置を備えた情報受信装置。
【請求項７】
通信回線に接続されると共に外部からの入力情報を記録する手段を備えた情報受信端末装置により情報を受信する方法において、以下の各工程を備えたことを特徴とする情報受信方法。
（１）通信回線に接続された入力端子に外部からの着信がされたか否かを定期的に検知する工程。
（２）上記着信が検知された後、該着信端末において着信応答が行われたか否かを検知する工程。
（３）上記着信応答が検知されると、一時記録手段を起動して入力情報を一時記録する工程。
（４）操作者が必要に応じて、操作部を操作することにより入力情報を長期間保存するための本記録を選択する工程。
（５）上記本記録が選択されると、前記一時記録手段の起動を停止して、上記本記録手段を起動して入力情報を本記録する工程。
（６）通信終了後、操作者が必要に応じて、前記操作部を操作することにより入力情報の保存操作を指示する工程。
（７）上記保存操作指示により、一時記録の内容を本記録部へ移送することによって記録保存する工程。
【請求項８】
本記録は通話内容の本記録の選択時点と同時に記録を開始し、一時記録は本記録手段による通話録音開始時点より所定時間余分に記録し、上記本記録手段の記録媒体の初めの部分には空きエリアが設けられるように制御され、保存操作指示によって、一時記録の内容を本記録部の空きエリアへ一時記録の開始時刻より移送することを特徴とする請求項７記載の情報受信方法。
【請求項９】
空きエリアの記録容量よりも一時記録の情報量の方が多い場合には、本記録部の最初の部分にオーバーラップして一時記録の内容を移送して記録保存することを特徴とする請求項８記載の情報受信方法。
【請求項１０】
一時記録手段及び本記録の記録媒体がそれぞれディジタル式記録媒体である場合に、一時記録及び本記録の開始アドレスと終了アドレスを記憶しておき、保存操作により一時記録の後に本記録が再生されるように編集作業をすることを特徴とする請求項７記載の情報受信方法。
【請求項１１】
一時情報の保存工程が保存操作指示により一時記録の内容を本記録部に記録されている本記録の後に移送することによって記録保存する工程であることを特徴とする請求項７記載の情報受信方法。
【発明の詳細な説明】
【産業上の利用分野】
本発明は情報記録装置を備えた情報受信装置に関し、特に、情報受信者が通信の途中に通信内容の記録を必要と認めたときに、記録操作をした時点よりも過去に遡って当該通信情報の記録を保証する情報記録装置を備えた情報受信装置に関する。ここにおいて、「情報記録装置を備えた情報受信装置」とは、電話装置あるいはテレビ電話装置等のように特定の受信情報記録操作をしなければ、受信情報は単に受信されるだけで記録されない装置をいう。本発明において、「通話」とは情報の送信側と受信側で情報の送受信を行なう情報通信を意味しており、有線あるいは無線に限定されず、１対１の対向通信あるいは１対Ｎのブロードキャストの何れであるかを問わない。従って、「通話」は「情報」と読み代え、「録音」は「録画」と読み代えることができる。
【従来の技術】
情報記録装置を備えた情報受信装置としての通話録音機能を備えた電話装置では、従来、通話を録音しようと思ったときには定められた通話録音の操作を行ない、その時点以降の通話内容を録音記録する機能を有している電話装置が一般的に知られていた。また、留守番録音機能付き電話装置においては、留守番録音モードに設定してあれば着信通話を自動的に録音記録するものが知られ、１１０番、１１９番等の緊急通報電話においては、常時通話内容を録音記録して一定期間保存するものが知られていた。さらには、メモリ手段を備えたファクシミリ装置においては、ハードコピーとして出力する用紙がなくなったときには、受信情報をメモリ上に記録するものが従来公知であったし、パソコン通信等では、入力情報は何らかの形で記録媒体上に記録されるものであった。また、ビデオ録音でも録画ボタンを押した時、あるいは予約をした時間から録画を開始する装置は知られていた。
【発明が解決しようとする課題】
ところで、この様な通話録音機能を備えた電話装置では、通話録音操作をした時点以降の内容を記録する機能であり、それまでに通話していた情報は録音できないため、録音すべき通話を結果的に録音できなかったり、通話の最初の部分が欠ける場合があった。また、留守番録音機能付き電話あるいは緊急通報電話は受信した全ての通話を順次録音記録する反面、通話を必要に応じて選択して録音記録・保存することができないものであった。本発明の課題は、以上のように、録音すべき通話を結果的に録音できなかったり、通話の最初の部分が欠けるようなこともなく、また、全ての受信通話を順次録音するものではなく、受信通話の中から必要と判断した通話のみを選択して長期間保存のために録音記録することのできる情報記録装置を備えた情報受信装置を提供することである。
【課題を解決するための手段】
上記課題を解決するため本発明の情報記録装置を備えた情報受信装置は、通信回線に接続されると共に外部からの入力情報を記録する手段を備えた情報受信装置において、情報記録手段は入力情報を一時的に記録する一時記録手段と入力情報を長期間保存するために記録する本記録手段とから成り、一時記録手段と本記録手段との動作を制御する制御手段を設け、制御手段によって一時記録手段を制御して外部からの着信に応答した時点より通話録音を開始して一時記録手段に通話内容を一時的に記録し、さらに、必要と認めた通話内容を本記録手段に記録するように選択できる操作手段を設け、該操作手段により本記録手段への記録が選択されると一時記録手段への記録を停止して、本記録手段に通話内容を記録するように構成し、さらに、通話終了後に保存の必要があると認めた通話内容を保存するように指示する操作手段を設け、該操作手段により保存が指示されると該操作手段は一時記録手段に記録した記録内容を本記録手段に移送記録して本記録として記録保存するように操作可能に構成されている。
【作用】
本発明の情報記録装置を備えた情報受信装置は、通信回線に接続され外部からの入力情報を記録する手段を備えており、通信回線に接続された入力端子に外部からの着信がされたか否かを定期的に検知し、上記着信が検知された後、該着信端末において着信応答が行われたか否かを検知し、上記着信応答が検知されると、一時記録手段を起動して入力情報を一時記録し、操作者が必要に応じて、操作部を操作することにより入力情報を長期間保存するための本記録を選択し、本記録が選択されると、一時記録手段の起動を停止して、本記録手段を起動して入力情報を本記録し、通信終了後、操作者が必要に応じて、操作部を操作することにより入力情報の保存操作を指示し、保存操作指示により、一時記録の内容を本記録部へ移送することによって記録保存する。これによって、着信応答が検知されると、一時記録手段を起動して通話内容を一時記録し、操作部を操作することにより本記録を選択し、一時記録手段の起動を停止して本記録手段を起動して通話内容を本記録し、同じく操作部を操作することにより保存操作を指示して一時記録の内容を本記録部へ移送することによって記録保存することができる。
【実施例】
本発明の情報記録装置を備えた情報通信装置の一実施例としての電話端末装置は、通信回線に接続されると共に外部からの入力情報を記録する回路を備え、その端末が着信に応答した時点より通話録音を開始して通話内容を一時的に記録しておく一時記録部と、一時記録した内容を移送して本記録として記録保存しておく本記録部とを備えており、これらの記録装置は制御手段によって、それらの操作が制御されている。以下、本発明の一実施例を図面を参照しながら説明する。以下の実施例においては情報記録装置を備えた情報通信装置の一実施例としての電話端末装置を具体例として本発明を説明するが、これは本発明が電話端末装置に限定されることを意味するものではなく、本発明の趣旨を逸脱しない範囲であれば、他の情報通信装置にも適用され得るものであるし、当然のことながら、本発明の趣旨を逸脱しない範囲において、当業者であれば容易に成し得る程度の設計変更も発明の範囲内において可能なものである。図１は、本発明の情報記録装置を備えた情報通信装置の概略斜視図である。図１において、入出力端子１２は外線に接続され外線からの呼出信号、通話内容の入出力を行なう。スピーカ８は着信の鳴動音、記憶された音声の再生音の出力を行なう。ハンドセット１５を上げるとフック２２がＯＦＦフック状態となり、ハンドセット１５は受話口９より相手の音声を出力し、又マイク口１０は操作者の音声をひろう。メモリーカード３は、メモリーカード挿入口２に挿入され記憶媒体として使用される。通話録音ボタン４は通話内容の本記録を開始させるボタンであり、操作の簡略化を考え独立した１つのボタンとしてある。保存ボタン５は一時記録内容を本記録媒体へ移送を開始させるボタンであり、操作の簡略化を考え独立した１つのボタンとしてある。表示装置１は通話録音中、保存中等操作が確実に行なえる様状態表示を行なう。図２は、本発明の情報通信装置の一実施例として、電話装置の主要な電気的構成を示すブロック図である。図２において、着信検出回路１１は所定のサンプリングタイム毎に図示しない外線から入出力端子１２への着信の有無を検出する。着信検出回路１１は入出力端子１２において着信信号「有」を検出すると、制御部１３へ着信検出信号を送出する。スピーチネットワーク回路１４は、通話信号の増幅及び音質補正を行なうと共に、外線から入出力端子１２を介して伝えられる通話信号をハンドセット１５と記録回路１６へと送出する。制御部１３は、本実施例の電話装置全体の回路を制御している。記録回路部１６は、一時記録回路部１７と本記録回路部１８とによって構成されており、この一時記録回路部１７は、通話が開始した後には、常に所定時間の記録ができるように構成されている。この所定時間は必要に応じて適宜設定することができるが、少なくとも３分間程度の記録容量があることが望ましい（後述する）。一時記録の所定時間は、例えば、１分間、３分間、５分間のいずれかを選択するように構成することもできる。この一時記録回路部１７には、常に新しい通話内容が記録される様に制御部１３により制御されている。一時記録回路部１７及び本記録回路部１８には各々記録媒体１９、２０が設けられており、通信情報をそれぞれの媒体上に録音記録する。この記録媒体１９、２０はアナログ式あるいはディジタル式のいずれの記録方式でも用いることができる。一時記録回路部１７の記録媒体１９上に一時的に記録された記録情報は、操作部２１からの操作者の操作によって、本記録回路部１８の記録媒体２０に移送され本記録として保存可能にされる。本発明において電話端末装置を操作制御するために必要な情報は操作記録部２３に記録されており、制御部１３に対する入力信号あるいは操作信号に対応して制御部１３による本システムの制御に利用される。図３は、本発明の電話端末装置の制御手順を示すフローチャートである。図３において、本システムの着信検出回路１１が入出力端子１２において着信信号を検出すると、制御部１３へ着信検出信号を送出する。制御部１３は着信検出回路１１からの着信の有無を定期的（サンプリングタイム毎）に検出をし、着信無しの場合は着信有無の検出を繰り返し、着信有りの場合、つまり着信信号を検出した場合は着信鳴動等の着信動作を行なう。次に、着信鳴動に応答して操作者が該着信端末のハンドセット１５を上げるとフック２２がＯＦＦ状態にされ、当該着信端末が着信応答状態になったと判断される。ＯＦＦフック状態で且つ着信状態である場合には、制御部１３はスピーチネットワーク回路１４を制御し、ハンドセット１５を介して外部との通話を可能とする。さらに、制御部１３は記録回路部１６の一時記録回路部１７の起動を行い、通話の開始と同時に通話内容の一時的な録音記録を開始する。この一時記録回路部１７の起動タイミングは着信状態でＯＦＦフックが検知された時とするのが好ましい。さらに、一時記録回路部１７は、所定時間、好ましくは３分間程度の記録容量があり、常に新しい通話内容が録音記録される様に制御されている。例えば、アナログ式のテープ録音では、通話が終了して次の新しい通話を待つ時には、テープを巻き戻して常にテープの頭出しをした状態で次の着信を待つと、常に一時記録の開始がテープの開始部と一致するためにその後の処理（後述の一時記録から本記録への移送処理）に都合が良い。また、ディジタル式の録音の場合は、前回の記録が終了したアドレス位置に続くアドレス位置から記録を開始して、記録容量を超えた場合にはオーバーライトすることによって、常に所定時間の最新の通話内容の記録を一時的に蓄えるようにすることができる。この場合には、一時記録の開始アドレスと終了アドレスとを記憶しておく必要がある。いずれの記録方式の場合であっても、一時記録時間が記録媒体の記録時間以上を越える場合には、最新の数分間の通話内容の記録を一時保存をするように、２度書きを行なう。従って、保存を必要とする本記録の選択指示は所定時間以内に行なうことで通話全体の記録できるので好ましい。所定時間を複数の時間から選択できる構成とした場合には、アナログ式であれば、テープ等の走行速度を可変にし、ディジタル式であれば、一時記録に用いるエリアの容量を可変とすればよい。次に、通話が進行して操作者が通話の内容を記録する必要があると思ったときには、操作部２１を操作して通話録音信号を制御部１３に送出する。制御部１３によって通話録音信号が検出された場合は、本記録回路部１８を録音状態にして通話内容を記録する。このときには、本記録回路部１８を起動すると同時に、あるいは若干遅れて一時記録回路部１７の記録動作を停止する。また、操作部２１を操作して通話録音信号が制御部１３に送出されたときに、直ちに、一時記録を本記録に切り替えずに、一時記録は定められた所定時間の録音を継続することも考えられる。この場合には本記録は、常に所定時間が経過してから実行するように構成することができる。これによって、本記録回路部１８を起動するタイミングが取り易い。次に、操作者が通話終了後にその通話内容の保存を必要とする場合には、操作部２１を操作することによって保存信号を制御部１３に送出する。この保存信号が検出された場合には、一時記録回路部１７の記録媒体１９に記録された記録内容を本記録回路部１８の記録媒体２０へ転送して記録保存する。一端、本記録回路部１８の記録媒体２０に記録された情報は、所定の操作による消去操作を行わない限り、その記録内容は消去されないように制御されている。このように構成することによって、電話端末装置が着信に応答した時点で常に一時記録回路部１７により通話録音を開始し、所定時間以内の記録を行なうことができ、通話の途中で操作者が通話内容の保存を必要と判断したときには、本記録回路部１８により、それ以降の通話を録音記録し、後に一時記録の内容を本記録に移送して記録保存する。これによって、必要と判断した通話内容をその判断時点よりも過去に遡って録音記録する事ができる。一時記録媒体１９から本記録媒体２０への記録内容の移送は、必ずしも操作部２１からの指示による必要はない。つまり、操作部２１より本記録の指示があったことによって、通話終了後に自動的に移送するように制御することも可能である。このように構成すれば、通話終了後に操作者が移送操作を忘れて、記録保存すべき内容の通話録音を失敗してしまうこともない。この一時記録の本記録への移送の場合には、一時記録の通信内容が既に記録された本記録部の通信内容の上にオーバーライトされて、結果的に通話の一部が欠如して通話の連続性を損なうことのないようにする必要がある。一時記録の通話内容を本記録に移送する場合のステップについて、一実施例を説明すると以下の通りである。
（１）通信回線に接続された入力端１２子に外部からの着信がされたか否かを定期的に検知する。
（２）上記着信が検知された後、当該着信端末において着信応答が行われたか否かを検知する。
（３）着信応答が検知されると、一時記録回路部１７を起動して入力情報を一時記録する。
（４）操作者が必要に応じて、操作部２１を操作することにより入力情報を長期間保存するための本記録を選択する。
（５）本記録が選択されると、一時記録回路部１７の起動を停止して、本記録回路部１８を起動して入力情報を本記録する。
（６）通信終了後、操作者が必要に応じて、操作部２１を操作することにより入力情報の保存操作を指示する。
（７）保存操作指示により、一時記録の内容を本記録部へ移送することによって記録保存する。
一時記録及び本記録のそれぞれの記録媒体をアナログ式にするかディジタル式にするかは、以下の表１に示すような組合せが考えられる。ここにおいて、アナログ記録媒体は、一時記録媒体及び本記録媒体共に、通常の留守番電話装置で用いられているマイクロテープが望ましく、ディジタル記録媒体は、一時記録媒体では電話端末装置内に実装された半導体メモリー等が望ましいが、本記録媒体としては電話端末装置から外して保存が可能なＤＡＴ、ＣＤ、マイクロディスク、ＩＣカード、メモリーカードあるいは光カード等が望ましい。本説明においては、それぞれの記録方式の説明は省略する。
0003668882.tif 000002
図４及び図５は、一時記録の内容を本記録回路へ移送して保存する保存方式の例を示す説明図である。図４は、実際の通話の時間経過に沿った記録を得る方式であり、一時記録内容を本記録内容の前に保存するものである。この具体的な実現の手順は一時記録媒体及び本記録媒体の種類によって若干相違するが、以下に、代表例を上げて、一時記録の内容を本記録に移送する際の操作の手順と特徴とを説明する。以下の例の添付数字は前記表１の例の番号と対応している。
［例１］  アナログ記録媒体→アナログ記録媒体
（１）入力端子１２に着信が検知され、着信応答が行われると、一時記録回路１７が起動される。この一時記録開始時刻は操作記録部２３に記録しておく。
（２）操作部２１の操作により本記録が選択されると、本記録回路１８が起動される。このとき一時記録は、本記録回路１８による通話録音開始時点より所定時間（約３秒間程度）余分に記録する。
（３）本記録回路１８の記録媒体２０の初めの部分には、空きエリアが設けられるように制御される。この空きエリアは、通話録音開始時点での一時記録されている分が移送される容量分が確保される。
（４）本記録は、通話録音開始時点と同時に記録を開始する。
（５）保存操作により、一時記録の内容を本記録部の空きエリアへ、一時記録の開始時刻より移送することによって記録保存する。この際、空きエリアの記録容量よりも一時記録の情報量の方が多い場合には、本記録部の最初の部分にオーバーラップして一時記録の内容を移送する。この場合の保存操作は通話終了後に行なわれるのが一般的であるが、特別な操作なしで、操作者が通話中に本記録を選択したときには、通話終了後に自動的に移送操作を行なうように構成することもできる。
［例４］  ディジタル記録媒体→ディジタル記録媒体
この場合は、一時記録及び本記録の開始アドレスと終了アドレスを操作記録部２３に記憶しておき、保存操作により一時記録の後に本記録が再生されるように編集作業をする。この場合は、物理的な位置関係として一時記録の後に本記録が来る必要は無く、再生の際の時間的な前後関係において、一時記録の後に本記録が再生されれば良い。図５は、実際の通話の時間経過と相違して、一時記録内容を本記録内容の後に保存する方式であり、図４の場合と同様に、具体的な実現の手順は一時記録媒体及び本記録媒体の種類によって若干相違するが、以下に、代表例を上げて、その操作の手順と特徴とを説明する。
［例１］  アナログ記録媒体→アナログ記録媒体
（１）入力端子１２に着信が検知され、着信応答が行われると、一時記録回路１７が起動される。この一時記録は、本記録による通話録音開始時点より所定時間（約３秒間程度）余分に記録する。
（２）本記録は、通話録音開始時点と同時に記録開始する。
（３）保存操作により、一時記録の内容を本記録部の後に移送され記録保存される。
［例４］  ディジタル記録媒体→ディジタル記録媒体
この場合は、一時記録及び本記録の開始アドレスと終了アドレスを操作記録部２３に記憶しておき、保存操作により本記録の後に一時記録が再生されるように編集作業をする。この場合は、物理的な位置関係として本記録の後に一時記録が来る必要は無く、再生の際の時間的な前後関係において、本記録の後に一時記録が来れば良い。この方式によると、一時記録の部分を本記録の後に移送したことが明確に分かり、かえって録音記録の際に工作をしたのではないかという疑念を防止できる。
以上説明した本発明の方式では、一時記録と本記録との記録媒体は別の媒体を用いる方式を説明したが、一つの記録媒体で実現することもできる。この場合は、着信端末の着信応答を検知すると直ちに記録を開始し、操作者が通話中あるいは通話終了後に本記録操作を行なうと、記録した部分の上書き禁止がなされるように動作し、本記録操作がない場合には、前回の本録音部分まで巻戻しておき、次の着信の準備をすることができる。この方式によると、記録回路を独立して２系統設ける必要がないが、特に、アナログ式録音の場合には、記録保存の必要でない通話が連続すると、同じ部分の録音が繰り返し行なわれることになり、録音の質を落す恐れがある。以上の実施例では、情報記録装置を備えた情報受信装置として電話装置で説明したが、テレビ電話等の音声・映像受信装置にも適用する事ができる。
【発明の効果】
本発明の情報記録装置を備えた情報受信装置は、外線着信に応答した時点で常に通話録音を開始し、常時、所定時間前の新しい通話内容の記録を行なう事によって、過去に遡った通話内容まで記録、保存、再生する事ができるという効果を奏するものである。また、全ての受信通話を順次録音するのではなく、受信通話の中から必要な通話のみを選択して録音記録することができる。
【図面の簡単な説明】
【図１】本発明の実施例である電話端末装置の概略斜視図。
【図２】本発明の実施例である電話端末装置の電気的構成を示すブロック図。
【図３】本発明の実施例である電話端末装置の制御手順を示すフローチャート。
【図４】一時記録内容を本記録回路へ保存する方式の一実施例。
【図５】一時記録内容を本記録回路へ保存する方式の他の実施例。
【符号の説明】
１・・・表示装置、  ２・・・メモリーカード挿入口、３・・・メモリーカード、４・・・通話録音ボタン、５・・・保存ボタン、６・・・ダイヤルボタン、７・・・本体、  ８・・・スピーカ、９・・・受話口、１０・・・マイクロ、１１…着信検出回路、１２…入出力端子、１３…制御部、１４…ネットワーク回路、１５…ハンドセット、１６…記録回路、１７…一時記録回路部、１８…本記録回路部、１９…一時記録媒体、２０…本記録媒体、２１…操作部、２２…フック、２３…操作記録部
【図１】
0003668882.tif 000003
【図２】
0003668882.tif 000004
【図３】
0003668882.tif 000005
【図４】
0003668882.tif 000006
【図５】
0003668882.tif 000007